【手続補正書】
【提出日】平成16年8月20日(2004.8.20)
【手続補正１】
【補正対象書類名】明細書
【補正対象項目名】００１６
【補正方法】変更
【補正の内容】
【００１６】
接続層プロトコル４０４は、一実施の形態に従って、大気中リンク接続の状態を処理するいくつかのサブプロトコルから構成するようにしてもよい。そのようなサブプロトコルは大気中リンク管理（ＡＬＭ）プロトコル、初期化状態プロトコル、アイドル状態プロトコル、および接続状態プロトコルを含んでも良い。ＡＬＭプロトコルはアクセス端末１０４およびアクセスネットワーク１０１における全体の接続状態を維持する。ＡＬＭプロトコルはその現在の状態に応じて他のプロトコルを活性化する。初期化プロトコルは、アクセスネットワーク１０１を取得するプロセスにおいて、アクセス端末１０４に関連する行動を実行する。アイドル状態プロトコルは、アクセスネットワーク１０１を取得したが、オープン接続を持たないアクセス端末１０４に関連する行動を実行する。接続状態プロトコルはオープン接続を有するアクセス端末１０４に関連するプロシージャを供給する。
【手続補正２】
【補正対象書類名】明細書
【補正対象項目名】００２０
【補正方法】変更
【補正の内容】
【００２０】
図７は、一実施の形態に従って、アクセスネットワーク１０１に関連するアイドル状態７０１において、およびアクセス端末１０４に関連するアイドル状態７５２において、実行されるアイドル状態プロトコルの種々の状態を図解する。アクセス端末１０４におけるアイドル状態７５２におけるプロトコルの状態は、インアクティブ状態８５１、モニタ状態８５２、スリープ状態８５３、および接続セットアップ状態８５４を含んでも良い。アクセスネットワーク１０１におけるアイドル状態７０１におけるプロトコルの状態は、インアクティブ状態８０１、モニタ状態８０３、スリープ状態８０２、および接続セットアップ状態８５４を含んでも良い。アクセス端末１０４における電力を節約するために、アクセス端末１０４とアクセスネットワーク１０１はスリープ状態８５３、８０２を維持する。一実施の形態に従って、アクセスネットワーク１０１はスリープ期間の間メッセージをアクセス端末１０４に送信しない、そして、アクセス端末１０４はスリープ期間の間メッセージを受信することを期待しない。アクセスネットワーク１０１は一実施の形態に従って、ページメッセージを送信することにより接続セットアップを開始することができ、そして、アクセス端末１０４は接続要求メッセージに応答する。あるいは、アクセス端末１０４は、接続要求メッセージを送信することにより接続セットアップを開始することができる。接続セットアップは、それぞれアクセスネットワーク１０４の接続セットアップ状態８０４およびアクセス端末１０４の接続セットアップ状態８５４において生じる。接続が否定されないなら、アクセス端末１０４とアクセスネットワーク１０１は、接続をセットアップするためにさらなるメッセージを交換する。このメッセージは、トラヒック−チャネル−割当てメッセージ、ＡＣＫメッセージ、およびトラヒック−チャネル−完了メッセージを含んでも良い。接続の確立が成功すると、アクセス端末１０４は（図６に示す）接続された状態７５３となり、そして、アクセスネットワーク１０１は（図６に示す）接続された状態７０２となる。
【手続補正３】
【補正対象書類名】明細書
【補正対象項目名】００２７
【補正方法】変更
【補正の内容】
【００２７】
一実施の形態に従って、アイドルオープン状態にある２以上の接続がステップ１２０３において検出されると、リソースマネージャは、アイドルオープン状態にある検出された接続のいづれかを解放するためにランダムな選択に基づいて決定してもよい。あるいは、一実施の形態に従って、コントローラは、選択のためのいくつかの基準を使用することができる。例えば、最も長いアイドル時間を有した接続または所定の期間より長いアイドル時間を有した接続のグループから選択された１つの接続が解放のために選択するようにしてもよい。さらに一実施の形態に従って、アイドル状態にある接続は、接続がビジーおよびアイドルオープン状態にあった結合された期間である期間に基づいて解放のために選択するようにしてもよい。一実施の形態に従って解放のためにアイドル状態にある接続するための選択の基準は、解放時間の前の所定時間に大量のデータを転送するために使用した接続を選択すること、または解放時間前の所定期間に少なくとも所定量のデータを転送するために使用した接続のグループから選択された接続を含むようにしてもよい。この所定の期間は接続がオープン状態にあった以来の期間であってよい。データ量は種々の実施の形態に従って、順方向リンク、または逆方向リンクまたは両方の集合を介して送信されたデータ量であってよい。
【手続補正４】
【補正対象書類名】明細書
【補正対象項目名】００４３
【補正方法】変更
【補正の内容】
【００４３】
図１３は、アクセスネットワーク１０１における接続を制御するための実施の形態に従うコントローラ１４００の一般的なブロック図である。コントローラ１４００は、接続マネージャ１４０１およびチャネルリソースマネージャ１４０２を含んでいてよい。接続マネージャ１４０１は、多数の独立した接続コントローラ１４０３Ａ−Ｎの割当て／割当て解除を制御する。接続コントローラ１４０３はアクセス端末１０４とアクセスネットワーク１０１との間の接続の種々の観点を制御する。制御観点は、アクセス端末１４０７Ａ−Ｎとデータネットワーク１４０４との間のデータパケットの流れを制御することを含む。他の制御観点は、移動度管理、ソフトハンドオフ、ハードハンドオフ、および無線リンクプロトコルを含んでいてよい。チャネルリソースマネージャ１４０２は、多数のチャネルリソース１４０５Ａ−Ｎを制御する。チャネルリソース１４０５は、データキューイング(queuing)機能、変調機能、復調機能および復号機能を含んでいてよい。順方向において、チャネルリソース１４０５Ａ−１４０５Ｎはスケジューラー１４０６とインターフェースしてもよい。スケジューラー１４０６はどの接続をサービスするかを決定し、アクセス端末１４０７Ａ−Ｎ内の１つのアクセス端末に時分割ベースで送信されるリソース１４０５からのデータ単位をスケジュールする。オープン接続は、接続コントローラ１４０３Ａ−１４０３Ｎからの１つの接続コントローラと、リソース１４０５Ａ−１４０５Ｎからの１つのチャネルリソースが接続に割当てられる、アクセス端末１４０７とデータネットワーク１４０４との間の接続として見ても良い。一実施の形態に従って、チャネルリソースマネージャ１４０２は、リソース１４０５Ａ−１４０５Ｎ内の各チャネルリソースの（破線で示された）割当て／割当て解除を制御し、接続マネージャ１４０１は接続コントローラ１４０３Ａ−１４０３Ｎ内の各接続コントローラの（破線で示されるように）割当て／割当て解除を制御する。接続のための要求が受信されると、接続マネージャ１４０１は接続コントローラ１４０３を接続に割当てる。この時点において、割当てられた接続コントローラは接続の制御する観点を引き継ぐ。接続コントローラ１４０３はチャネルリソース１４０５を接続に割当てるためにチャネルリソースマネージャ１４０２と通信する。リソース１４０５が割当てられると、接続コントローラ１４０３は、アクセス端末１４０５Ａ−Ｎからデータネットワーク１４０４に接続経路を構築するために選択されたリソース１４０と直接通信する。各チャネルリソース１４０５Ａ−Ｎにより実行される機能は、順方向無線リンクを介してアクセス端末に送信するためにデータを変調し、逆方向リンクを介して受信されたデータを復調／復号することを含んでよい。留意すべきは、接続マネージャ１４０１の物理ロケーションおよびチャネルリソースマネージャ１４０２は実装に応じて変化してもよい。
【手続補正５】
【補正対象書類名】明細書
【補正対象項目名】００４４
【補正方法】変更
【補正の内容】
【００４４】
すべてのチャネルリソース１４０５Ａ−１４０５Ｎがオープン接続により使用され、接続のための要求が検出されるとき、チャネルリソースマネージャ１４０２は接続の１つおよび解放のために関連した割当てられたリソースを選択してもよく、そして、新しい接続のデータフローに関連する機能を実行するために解放されたリソースを割当てても良い。一実施の形態に従って、選択されたオープン接続はアイドルオープン状態またはビジーオープン状態にあってもよい。より多くの接続がオープン状態にあるなら、接続は、ここに記載した基準に基づいて選択するようにしてもよい。
【手続補正６】
【補正対象書類名】明細書
【補正対象項目名】００４５
【補正方法】変更
【補正の内容】
【００４５】
接続が解放されると、接続に割当てられたチャネルリソース１４０５Ａ−１４０５Ｎおよび接続制御リソース１４０３は解放される。